(57)【要約】【課題】  薬剤カセットの装着時における薬剤の誤落下を確実に防止可能な薬剤フィーダの提供を目的とする。【解決手段】  薬剤フィーダ１は、薬剤Ｔを収容する収容部５内にロータ１０が収容されている。ロータ１０は、ロータギヤ１５および連結ギヤ２２を介して支持台３側の駆動ギヤ５２に接続されている。連結ギヤ２２の大径ギヤ部２５および駆動ギヤ５２は、それぞれガンギ形状の歯部２６，５５を有する。大径ギヤ部２５および駆動ギヤ５２は、それぞれの逆転側面３０，５８が対向するように取り付けられている。薬剤カセット２を支持台３に装着すべくガイド部５１に沿って薬剤カセット２をスライドさせると、大径ギヤ部２５の歯先面２７が駆動ギヤ５２の逆転側面５８に沿って摺動し、大径ギヤ部２５およびロータ１０が逆回転する。【選択図】  図１１
2005289506.tif 000002
【特許請求の範囲】
【請求項１】
多数の固形薬剤を収容する収容部を有し、当該収容部の内部にロータが回転自在に配された薬剤カセットと、当該薬剤カセットが装着される支持部材とを有する薬剤フィーダであって、前記ロータは、前記収容部内に収容されている薬剤を所定量保持するポケット部を有するものであり、前記収容部には、前記ロータの回転に伴ってポケット部と連通し、当該ポケット部に保持されている薬剤を排出する薬剤排出口が設けられ、
前記薬剤カセットには、ロータに対して回転力を伝達するカセット側接続手段が設けられており、
前記支持部材には、前記カセット側接続手段と係合する支持側接続手段と、当該支持側接続手段を所定の正方向に回転させ、カセット側接続手段およびロータを正回転させる駆動手段とが設けられており、
前記カセット側接続手段および支持側接続手段の少なくとも一方はガンギ車又はガンギ車に類似する形状であり、
前記支持部材に対して薬剤カセットを装着方向に移動させることにより、カセット側接続手段が支持側接続手段に突き当たり、ロータを優先的に逆方向に回転させた後にカセット側接続手段と支持側接続手段とを係合することが可能であることを特徴とする薬剤フィーダ。
【請求項２】
多数の固形薬剤を収容する収容部を有し、当該収容部の内部にロータが回転自在に配された薬剤カセットと、当該薬剤カセットが装着される支持部材とを有する薬剤フィーダであって、前記ロータは、前記収容部内に収容されている薬剤を所定量保持するポケット部を有するものであり、前記収容部には、前記ロータの回転に伴ってポケット部と連通し、当該ポケット部に保持されている薬剤を排出する薬剤排出口が設けられ、
前記薬剤カセットには、ロータに対して回転力を伝達するカセット側接続手段が設けられ、当該カセット側接続手段にはカセット側歯部が有り、
前記支持部材には、支持側接続手段が設けられており、当該支持側接続手段には前記カセット側歯部と係合する支持側歯部が設けられており、
前記カセット側歯部および支持側歯部は、それぞれ歯底面と、当該歯底面から突出した歯先面を有し、当該歯先面の両側に側面があり、
一方の側面は、支持側歯部を駆動しカセット側歯部をこれに従動させてロータを所定の正回転方向に回転する際に他方側の歯部と当接して力の伝達に寄与する正転側面であり、他方の側面は、正転側面の反対側に存在する逆転側面であり、
前記カセット側歯部および支持側歯部のいずれか一方または双方は、歯底面と逆転側面とが交差する位置における歯底面の外接面に対してなす角度が、正転側面と歯底面とが交差する位置における歯底面の外接面と正回転面とがなす角度よりも小さい非対称型の歯部であり、
前記薬剤カセットを支持部材に対する装着方向に移動させることにより前記カセット側歯部あるいは支持側歯部の一方を構成する非対称型の歯部の逆転側面に沿って、他方側の歯部が摺動することを特徴とする薬剤フィーダ。
【請求項３】
多数の固形薬剤を収容する収容部を有し、当該収容部の内部にロータが回転自在に配された薬剤カセットと、当該薬剤カセットが装着される支持部材とを有する薬剤フィーダであって、前記ロータは、前記収容部内に収容されている薬剤を所定量保持するポケット部を有するものであり、前記収容部には、前記ロータの回転に伴ってポケット部と連通し、当該ポケット部に保持されている薬剤を排出する薬剤排出口が設けられ、
前記薬剤カセットには、ロータに対して回転力を伝達するカセット側接続手段が設けられ、当該カセット側接続手段にはカセット側歯部が有り、
前記支持部材には、支持側接続手段が設けられており、当該支持側接続手段には前記カセット側歯部と係合する支持側歯部が設けられており、
前記カセット側歯部および支持側歯部は、それぞれ歯底面と、当該歯底面から突出した歯先面を有し、当該歯先面の両側に側面があり、
一方の側面は、支持側歯部を駆動しカセット側歯部をこれに従動させてロータを所定の正回転方向に回転する際に他方側の歯部と当接して力の伝達に寄与する正転側面であり、他方の側面は、正転側面の反対側に存在する逆転側面であり、
前記カセット側歯部および支持側歯部のいずれか一方または双方は、正転側面および逆転側面が、カセット側接続手段又は支持側接続手段の中心軸線と、歯先面の中央部を通る稜線を含む境界平面を界として非対称であり、正転側面と前記境界平面とがなす角度が逆転側面と境界平面とがなす角度よりも大きい非対称型の歯部であり、
前記薬剤カセットを支持部材に対する装着方向に移動させることにより前記カセット側歯部あるいは支持側歯部の一方を構成する非対称型の歯部の逆転側面に沿って、他方側の歯部が摺動することを特徴とする薬剤フィーダ。
【請求項４】
ロータ側接続手段および支持側接続手段のうち、少なくともロータ側接続手段がガンギ車によって構成されていることを特徴とする請求項２または３に記載の薬剤フィーダ。
【請求項５】
ロータの周方向に延伸し、ポケット部をロータの回転に伴って薬剤排出口と連通する排出側ポケット部と、収容部側に連通する収容側ポケット部とに仕切る仕切部材が設けられており、当該仕切部材は、薬剤排出口よりもロータの正回転方向下流側まで延設されていることを特徴とする請求項１乃至４のいずれかに記載の薬剤フィーダ。
【請求項６】
支持側接続手段の作動に要するトルクは、ロータ側接続手段の作動に要するトルクよりも大きいことを特徴とする請求項１乃至５のいずれかに記載の薬剤フィーダ。
【発明の詳細な説明】
【技術分野】
【０００１】  本発明は、錠剤やカプセル等の固形状の薬剤を払い出す薬剤フィーダに関するものであり、特に支持部材に対して薬剤カセットを装着する際の動作に特徴を有するものに関する。
【背景技術】
【０００２】  従来より、薬剤払出し装置や薬剤充填装置等の機器には、収容されている薬剤を所定の位置に一個づつ払い出す薬剤フィーダが設けられている。薬剤フィーダは、下記特許文献１に開示されているように、大別して多数の薬剤を収容する薬剤カセットと、当該薬剤カセットが装着される支持部材（装着台）とから構成されている。薬剤カセットは、多数の薬剤を保持するための収容部が設けられており、この内部にロータが収納されている。ロータの外周面には、収容部に収容されている薬剤を流入させて保持する複数のポケット部が形成されている。ロータの回転軸にはロータギヤが装着されており、薬剤カセットの底部に取り付けられた中間ギヤと係合している。薬剤カセットには、ロータの外周面に設けられたポケット部と連通可能な位置に薬剤排出口が形成されている。【０００３】  一方、支持部材には、ギャードモータ等のモータが収納されており、このモータの回転軸に駆動ギヤが装着されている。
駆動ギヤと中間ギヤはクラッチ的な機能を果たし、支持部材に対して薬剤カセットが装着されることにより、支持部材側の駆動ギヤと、薬剤カセット側に設けられた中間ギヤが係合する。そのため支持部材に収容されているモータが駆動すると、駆動ギヤから中間ギヤおよびロータギヤに回転力が伝達され、ロータが回転する。これにより、ロータの外周部に設けられたポケット部が順次薬剤排出口に到達し、ポケット部に保持されている薬剤が薬剤排出口から順次排出される。【０００４】
【特許文献１】  特開平９−３０５０１号公報
【０００５】  従来より薬剤充填装置等の機器類に一般的に採用されていた薬剤フィーダは、収容部への薬剤の補充や点検のために薬剤カセットを支持部材から取り外すと、ロータが自由に回動可能な状態となるため、薬剤カセットの着脱時の衝撃や振動によってロータが回転し、薬剤が薬剤排出口から排出されてしまうおそれがあった。そのため、例えば上記特許文献１に開示されている薬剤フィーダでは、薬剤カセットの非装着時には、ロータのギヤを弾性によって係止し、ロータの自転を抑止する抑止手段を設けると共に、薬剤カセットの装着時に抑止手段とロータの係止を解除する解除手段を設けている。
【発明の開示】
【発明が解決しようとする課題】
【０００６】  上記特許文献１に開示されている薬剤フィーダは、ロータが回転するのを抑止する抑止手段を設けたものであり、薬剤の誤排出が起こり難い。しかし、上記特許文献１に開示された構成を採用する場合であっても、中間ギヤやロータギヤが外力を受けるとロータは回転する。
前記した様に薬剤フィーダは、薬剤カセットが取り外し可能であり、薬剤カセットを支持部材に装着して使用する。そして薬剤カセットが支持部材に装着されることにより薬剤カセット側に設けられた中間ギヤと支持部材側の駆動ギヤが係合するが、薬剤カセットを支持部材に装着する際に、中間ギヤが駆動ギヤに押され、中間ギヤは支持部材側の駆動ギヤから外力を受ける。
そのため特許文献１に開示されている薬剤フィーダでは、薬剤カセットを装着する際の力によって中間ギヤが僅かに回り、ロータが回転することがある。その結果、本来排出すべきでない薬剤が払い出されるおそれがあった。
即ち薬剤カセットを支持部材に装着する際に発生するロータの回転は僅かであるが、例えばロータのポケット部が中途半端な状態で薬剤排出口と連通している場合があり、この様な場合にはロータが僅かに回転することによってポケット部と薬剤排出口が完全に連通してしまう。そのため従来技術の薬剤フィーダは、薬剤カセットを装着する際に中の薬剤が零れ落ちることがあった。
薬剤フィーダから薬剤が誤排出されると、本来処方すべきでない人に薬剤を配付してしまうこととなり、重大事故につながるおそれがある。【０００７】  そこで本発明は、従来技術の上記した欠点に注目し、薬剤カセットの装着時における薬剤の誤落下を確実に防止可能な薬剤フィーダを提供することを目的とする。
【課題を解決するための手段】
【０００８】  上記した課題を解決すべく提供される請求項１に記載の発明は、  多数の固形薬剤を収容する収容部を有し、当該収容部の内部にロータが回転自在に配された薬剤カセットと、当該薬剤カセットが装着される支持部材とを有する薬剤フィーダであって、前記ロータは、前記収容部内に収容されている薬剤を所定量保持するポケット部を有するものであり、前記収容部には、前記ロータの回転に伴ってポケット部と連通し、当該ポケット部に保持されている薬剤を排出する薬剤排出口が設けられ、
前記薬剤カセットには、ロータに対して回転力を伝達するカセット側接続手段が設けられており、
前記支持部材には、前記カセット側接続手段と係合する支持側接続手段と、当該支持側接続手段を所定の正方向に回転させ、カセット側接続手段およびロータを正回転させる駆動手段とが設けられており、
前記カセット側接続手段および支持側接続手段の少なくとも一方はガンギ車又はガンギ車に類似する形状であり、
前記支持部材に対して薬剤カセットを装着方向に移動させることにより、カセット側接続手段が支持側接続手段に突き当たり、ロータを優先的に逆方向に回転させた後にカセット側接続手段と支持側接続手段とを係合することが可能であることを特徴とする薬剤フィーダである。【０００９】  本発明の薬剤フィーダについても従来技術と同様に、薬剤カセットを支持部材に装着して使用し、当該装着の際にカセット側接続手段と支持側接続手段が係合する。ここで本発明の薬剤フィーダでは、薬剤カセットを支持部材に装着する際にカセット側接続手段と支持側接続手段とが係合させると、ロータが優先的に逆回転する。
即ち従来技術の薬剤フィーダでは、薬剤カセットを装着した際にロータが正方向に回転するか逆方向に回転するかは成り行き任せであり、正方向に回転すれば薬剤が落下するおそれがある。これに対して本発明の薬剤フィーダでは、薬剤カセットを装着した際にロータが優先的に逆回転する。ここで「優先的に逆回転する」とは、必ず逆回転するという意味ではなく、逆回転する率が正回転する率に比べて極めて高く、もし仮に正回転したとしてもその回転量が極僅かである状況を指す。
そのため、本発明の薬剤フィーダでは、薬剤カセットを支持部材に対して装着してもロータの正回転方向上流側に存在しているポケット部が薬剤排出口に露出せす、当該ポケット部に保持されている薬剤の誤排出が起こらない。【００１０】  なお、本発明および以下に示す発明において「固形薬剤」とは、錠剤（タブレット）やカプセル状の薬剤等のような固形状の薬剤全般を示すものである。【００１１】  請求項２に記載の発明は、多数の固形薬剤を収容する収容部を有し、当該収容部の内部にロータが回転自在に配された薬剤カセットと、当該薬剤カセットが装着される支持部材とを有する薬剤フィーダであって、前記ロータは、前記収容部内に収容されている薬剤を所定量保持するポケット部を有するものであり、前記収容部には、前記ロータの回転に伴ってポケット部と連通し、当該ポケット部に保持されている薬剤を排出する薬剤排出口が設けられ、
前記薬剤カセットには、ロータに対して回転力を伝達するカセット側接続手段が設けられ、当該カセット側接続手段にはカセット側歯部が有り、
前記支持部材には、支持側接続手段が設けられており、当該支持側接続手段には前記カセット側歯部と係合する支持側歯部が設けられており、
前記カセット側歯部および支持側歯部は、それぞれ歯底面と、当該歯底面から突出した歯先面を有し、当該歯先面の両側に側面があり、
一方の側面は、支持側歯部を駆動しカセット側歯部をこれに従動させてロータを所定の正回転方向に回転する際に他方側の歯部と当接して力の伝達に寄与する正転側面であり、他方の側面は、正転側面の反対側に存在する逆転側面であり、
前記カセット側歯部および支持側歯部のいずれか一方または双方は、歯底面と逆転側面とが交差する位置における歯底面の外接面に対してなす角度が、正転側面と歯底面とが交差する位置における歯底面の外接面と正回転面とがなす角度よりも小さい非対称型の歯部であり、
前記薬剤カセットを支持部材に対する装着方向に移動させることにより前記カセット側歯部あるいは支持側歯部の一方を構成する非対称型の歯部の逆転側面に沿って、他方側の歯部が摺動することを特徴とする薬剤フィーダである。【００１２】  本発明の薬剤フィーダは、薬剤カセットを支持部材に対して装着しようと移動させると、カセット側歯部と支持側歯部とが当接しながら徐々に係合する。ここで本発明の薬剤フィーダでは、カセット側歯部と支持側歯部の少なくともいずれか一方の歯部が、逆転側面と歯底面とがなす角度が正転側面と歯底面とがなす角度よりも小さい非対称型の歯部によって構成されている。また、薬剤カセットを支持部材に対して装着する方向に移動させると、前記カセット側歯部あるいは支持側歯部の一方を構成する非対称型の歯部の逆転側面に沿って、他方側の歯部が摺動する。
そのため本発明の薬剤フィーダは、薬剤カセットを装着することによりカセット側接続手段およびロータを逆回転させ、薬剤排出口に対してロータの正回転方向上流側に位置しているポケット部に保持されている薬剤が誤排出されることを確実に防止できる。【００１３】  請求項３に記載の発明は、多数の固形薬剤を収容する収容部を有し、当該収容部の内部にロータが回転自在に配された薬剤カセットと、当該薬剤カセットが装着される支持部材とを有する薬剤フィーダであって、前記ロータは、前記収容部内に収容されている薬剤を所定量保持するポケット部を有するものであり、前記収容部には、前記ロータの回転に伴ってポケット部と連通し、当該ポケット部に保持されている薬剤を排出する薬剤排出口が設けられ、
前記薬剤カセットには、ロータに対して回転力を伝達するカセット側接続手段が設けられ、当該カセット側接続手段にはカセット側歯部が有り、
前記支持部材には、支持側接続手段が設けられており、当該支持側接続手段には前記カセット側歯部と係合する支持側歯部が設けられており、
前記カセット側歯部および支持側歯部は、それぞれ歯底面と、当該歯底面から突出した歯先面を有し、当該歯先面の両側に側面があり、
一方の側面は、支持側歯部を駆動しカセット側歯部をこれに従動させてロータを所定の正回転方向に回転する際に他方側の歯部と当接して力の伝達に寄与する正転側面であり、他方の側面は、正転側面の反対側に存在する逆転側面であり、
前記カセット側歯部および支持側歯部のいずれか一方または双方は、正転側面および逆転側面が、カセット側接続手段又は支持側接続手段の中心軸線と、歯先面の中央部を通る稜線を含む境界平面を界として非対称であり、正転側面と前記境界平面とがなす角度が逆転側面と境界平面とがなす角度よりも大きい非対称型の歯部であり、
前記薬剤カセットを支持部材に対する装着方向に移動させることにより前記カセット側歯部あるいは支持側歯部の一方を構成する非対称型の歯部の逆転側向に沿って、他方側の歯部が摺動することを特徴とする薬剤フィーダである。【００１４】  本発明の薬剤フィーダでは、カセット側歯部と支持側歯部の少なくともいずれが一方の歯部形状が特異である。即ち歯部の正転側面および逆転側面が、カセット側接続手段および支持側接続手段の軸心位置と、歯先面の中央部を通る境界平面を境界として非対称であり、正転側面と前記境界平面とがなす角度が逆転側面と境界平面とがなす角度よりも小さい非対称型の形状を有する。また、本発明の薬剤フィーダは、支持部材に対して薬剤カセットを装着しようと移動させると、前記カセット側歯部あるいは支持側歯部の一方を構成する非対称型の歯部の逆転側面に沿って、他方側の歯部が摺動する。そのため本発明の薬剤フィーダは、薬剤カセットの装着時にカセット側接続手段が優先的に逆回転し、薬剤排出口に対してロータの正回転方向上流側に位置しているポケット部が薬剤排出口から遠ざかる。従って、上記した構成によれば、薬剤カセットの装着時における薬剤の誤排出が起こらない薬剤フィーダを提供できる。【００１５】  上記請求項２又は３に記載の薬剤フィーダにおいて、ロータ側接続手段および支持側接続手段のうち、少なくともロータ側接続手段はガンギ車によって構成されていることが望ましい。（請求項４）【００１６】  かかる構成によれば、薬剤カセットの装着時にロータを逆回転させることができ、薬剤の誤排出を確実に防止することができる。【００１７】  請求項５に記載の発明は、ロータの周方向に延伸し、ポケット部をロータの回転に伴って薬剤排出口と連通する排出側ポケット部と、収容部側に連通する収容側ポケット部とに仕切る仕切部材が設けられており、当該仕切部材は、薬剤排出口よりもロータの正回転方向下流側まで延設されていることを特徴とする請求項１乃至４のいずれかに記載の薬剤フィーダである。【００１８】  本発明の薬剤フィーダでは、仕切部材が薬剤排出口に対してロータの正回転方向下流側まで延設されているので、ロータの回転に伴い薬剤排出口を通過した直後の排出側ポケット部には薬剤は補充されない。そのため、薬剤カセットを支持部材に対して装着する際にロータが逆回転し、薬剤排出口を通過したばかりの排出側ポケット部が薬剤排出口に露出しても薬剤は誤排出されない。【００１９】  請求項６に記載の発明は、支持側接続手段の作動に要するトルクが、ロータ側接続手段の作動に要するトルクよりも大きいことを特徴とする請求項１乃至５のいずれかに記載の薬剤フィーダである。【００２０】  かかる構成によれば、薬剤カセットを支持部材に対して装着する際にカセット側接続手段を確実に逆回転させ、薬剤の誤排出を防止することができる。
【発明の効果】
【００２１】  本発明によれば、薬剤カセットを支持手段に装着する際における薬剤の誤落下が起こらない薬剤フィーダを提供することができる。
【発明を実施するための最良の形態】
【００２２】  続いて、本発明の一実施形態である薬剤フィーダについて図面を参照しながら詳細に説明する。
以下の説明では、特に断りのない限り上下の位置関係は図１に示す姿勢を基凖とする。図１は、本実施形態の薬剤フィーダの斜視図である。図２は、図１に示す薬剤フィーダのギヤ列を示す斜視図である。図３は、図１に示す薬剤フィーダの支持台に薬剤カセットを装着する途上におけるギヤ列を示す斜視図である。図４は、本実施形態の薬剤フィーダの分解斜視図であり、支持台と薬剤カセットを示す。【００２３】  図１〜図４において、１は本実施形態の薬剤フィーダである。薬剤フィーダ１は、図４に示すように、大別して薬剤カセット２と、薬剤カセット２が装着される支持台３（支持部材）とから構成されている。
薬剤カセット２及び支持台３は分離可能であるが、両者が結合された状態において図２に示す様なモータ５４からロータ１０に至る一連の動力伝達経路が完成し、モータ５４から動力を受けてロータ１０が回転する。また一連の動力伝達経路の内、後記する連結ギヤ（中間ギヤ）２２とローラギヤ１５は図５の様に薬剤カセット２側に属し、モータ５４と駆動ギヤ５２は支持台３側に属する。さらに本実施形態では、後記する様に連結ギヤ２２の一部たる大径ギヤ２５と駆動ギヤ５２にガンギ車が採用されている。またモータ５４と駆動ギヤ５２の間にロータリーエンコーダ（回転量検出手段）３３が設けられている。
以下、各部材について説明する。【００２４】  図５は、図４に示す薬剤カセットのＡ−Ａ断面図である。図６は、図４に示す薬剤カセットを薬剤排出口側から見た際の概略構造を示す斜視図である。【００２５】  薬剤カセット２は、合成樹脂によって成形されたものであり、多数の薬剤Ｔが収容される収容部５と、収容部５に対して一体化された合成樹脂製の台座部６とから構成されている。
収容部５は、多数の薬剤Ｔを収容する容器として機能するものであり、内部に大きな薬剤収容空間３２を持つ。収容部５は中の薬剤Ｔの残量が目視できる様に透明な樹脂によって作られている。
収容部５の天面側には開口を塞ぐ蓋体７が着脱自在に装着されている。収容部５の底面８の略中央部には、下方に向けて窪んだ凹部８ａが設けられている。凹部８ａの平面断面形状及び開口形状は円形である。
凹部８ａの内部には、ロータ１０が回転自在な状態で収容されている。凹部８ａは、図５に示すように有底であり、底面８ｂがある。【００２６】  図７は、図４に示す薬剤カセットが備えているロータ１０の斜視図である。図８は、図４に示す薬剤カセットが備えているロータ１０の正面図である。図９は、図４に示す薬剤フィーダの仕切部材と薬剤排出口及びロータ１０の関係を示す斜視図である。【００２７】  ロータ１０は、図６，７のように天面が円錐形の傾斜面を構成しており、外周面には軸方向に延びるポケット部１１が等角度で複数箇所に形成されている。換言すれば、ロータ１０は、外周面に上下方向に延伸する複数のリブ１２を有し、隣接するリブ１２，１２の周方向中間位置に上下方向に延伸するポケット部１１が形成されている。ポケット部１１は溝状であり、その両端は、ロータ１０の天地方向に開放されている。そのためロータ１０の上方に溜まった薬剤Ｔは、ロータ１０の傾斜面に沿って順次下方に滑り、収容部５の凹部８ａの内壁とロータ１０のポケット部１１によって構成される空隙に流れ込む。【００２８】  ポケット部１１は、薬剤Ｔを１つだけ保持可能な幅ＰＷ及び深さＰＨを有し、さらに薬剤Ｔを１つまたは複数保持可能な長さＰＬ（高さ）を有する（図６，７）。
リブ１２の幅ＲＷは、ポケット部１１の幅ＰＷと等しい。リブ１２の上下方向中間部には、ロータ１０の周方向に延伸し、ポケット部１１に連通したスリット１２ａが形成されている。スリット１２ａは、ロータ１０の全周を環状に取り巻く。
ロータ１０の底面側には、図５、図８に示すように、鉛直下方に向けて突出した回転軸２０が設けられている。回転軸２０は、凹部８ａの底面８ｂから下方に突出している。回転軸２０の先端（下端）には、図５の様にロータギヤ１５が取り付けられている。ロータギヤ１５の取付け構造は、図８の通りであり、ロータ１０の底面側にボス１３をネジ止めすることにより、底面８ｂの外側（図５の下方）、即ち台座部６側に露出するように一体化されている。ボス１３とロータギヤ１５の間にはＯリング１６が介在されている。【００２９】  ロータギヤ１５に隣接する位置には、図２、図３、図５に示すように連結ギヤ２２が回動自在に配されている。【００３０】  図１０（ａ）は、図４に示す薬剤カセットに採用されている連結ギヤを示す斜視図であり、（ｂ）は（ａ）のＡ−Ａ断面図、（ｃ）は（ａ）のＢ方向矢視図、（ｄ）は（ｃ）のＣ部拡大図である。【００３１】  連結ギヤ２２は、図１０に示すように、小径の小径ギヤ部２３と、大径の大径ギヤ部２５とが一体的に成形された２段形状の歯車である。小径ギヤ部２３は、通常のインボリュート歯形を有する外歯歯車であり、図２、図３、図５に示すようにロータギヤ１５と係合する部分である。また、大径ギヤ部２５は、ガンギ車型の歯形を有する外歯歯車であり、支持台３側に設けられた駆動ギヤ５２と係合するものである。大径ギヤ部２５は、歯部２６が所定のピッチで複数配されたものである。【００３２】  大径ギヤ部２５の歯部２６の歯形形状は、図１０に示すように、歯先面２７の両側に二つの歯側面２８，３０が設けられたものである。
本実施形態では、図２，図１６の様にモータ５４からロータ１０に至る一連の動力伝達経路が完成し、モータ５４から動力を受けてロータ１０が回転するとき、支持部側の駆動ギヤ５２が駆動し大径ギヤ部２５がこれに従動することとなるが、ロータ１０を所定の正回転方向に回転する際に駆動ギヤ５２と当接して力の伝達に寄与する側の歯側面２８を正転側面という。また正転側面２８の反対側に設けられた歯側面３０（バックラッシュ側）を逆転側面という。【００３３】  即ち大径ギヤ部２５の歯部２６の歯形形状は、図１０に示すように、歯先面２７の両側に正転側面２８および逆転側面３０が形成されたものである。歯部２６は、図１０（ｃ），（ｄ）に示すように正転側面２８と逆転側面３０が非対称の関係にある。さらに具体的には、正転側面２８は、歯底面３１との交差部分において歯底面３１の外接面Ｐ１と角度θ１をなしている。本実施形態では、θ１は９０度とされている。また、逆転側面３０は、歯底面３１との交差部分において歯底面３１の外接面Ｐ２と角度θ２（θ２＞θ１）をなしている。【００３４】  また、歯部２６は、大径ギヤ部２５の歯先面２７の頂部Ｔ１の稜線と、大径ギヤ部２５の回転中心軸を含む平面Ｘ１を想定した場合に、この平面Ｘ１に対して正転側面２８と逆転側面３０とが非対称の位置関係にある。即ち正回転面２８は平面Ｘ１と略平行であり、正回転面２８と平面Ｘ１とがなす角度θ３はほぼ０度である。一方、逆回転面３０と平面Ｘ１とがなす角度はθ４であり、正回転面２８と平面Ｘ１とがなす角度θ３よりも大きい。【００３５】  図５，図９、図１１に示すように、収容部５の下部には、薬剤排出口１８が設けられている。【００３６】  薬剤排出口１８は、図９、図１１の様に幅ＭＷがロータ１０の１つのポケット部１１とこれの両隣に隣接する２つのリブ１２，１２が露出する程度である。
なお図１１は、図４に示す薬剤カセットのＢ方向矢視図である。【００３７】  薬剤排出口１８の上方には、図５、図９に示すように凹部８ａの周方向に伸びる仕切差込口２１が設けられている。仕切差込口２１の幅ＮＷは、薬剤排出口１８の幅ＭＷよりも大きい。仕切差込口２１は、凹部８ａ内にロータ１０を収容した状態において、ロータ１０の外周に設けられているスリット１２に相当する位置にある。
なお本実施形態では、仕切差込口２１は薬剤排出口１８と連通するが、仕切差込口２１と薬剤排出口１８は必ずしも連通する必要はない。【００３８】  仕切差込口２１には、櫛状の仕切部材３５が水平に差し込まれている。仕切部材３５の長さＳＷは、薬剤排出口１８の幅ＭＷよりも大きい。即ち仕切部材３５は、薬剤排出口１８の全幅の上方を覆い、さらにロータ１０の回転方向に対して前後に延出されている。
具体的には、仕切部材３５のロータ１０の回転方向側（下流側）に対する延出量ＦＷは、ポケット部１１の幅ＰＷと略等しい。具体的には本実施形態では、延出量ＦＷはポケット部１１の幅ＰＷのプラスマイナス２０％である。【００３９】  仕切部材３５のロータ１０の逆回転方向側（上流側）に対する延出量ＦＷは、ポケット部１１の幅ＰＷの１／２である。仕切部材３５のロータ１０の逆回転方向側（上流側）に対する延出量ＦＷは、ポケット部１１の幅ＰＷの２０％以上であることが望ましく、最も推奨される範囲は３０％〜１００％である。【００４０】  本実施形態では、仕切部材３５は、ロータ１０の外周に設けられているスリット１２ａに相当する位置に配置され、仕切部材３５によってポケット部１１が下方ポケット部１１ａと上方ポケット部１１ｂとに分割されている。
そのためロータ１０の回転に伴って到来するポケット部１１は、仕切部材３５によって一旦分断され、さらに回転が進んで薬剤排出口１８よりも下流側に至り、さらにポケット部１１の幅ＰＷの２倍に相当する距離（延出量ＦＷ）だけ移動した後に下方ポケット部１１ａと上方ポケット部１１ｂが完全合流する。即ち当該ポケット部１１の進行方向後端側が仕切部材３５を完全に離れた位置で下方ポケット部１１ａと上方ポケット部１１ｂが合流する。【００４１】  従ってポケット部１１に上下に並んで収容されている薬剤Ｔは、ロータ１０の回転に伴って薬剤排出口１８に到来する際に仕切部材３５によって上下に分離される。
そのためロータ１０の回転に伴って到来するポケット部１１に保持された薬剤Ｔは、仕切部材３５と接して薬剤排出口１８の上流側において上下に分断された後、薬剤排出口１８よりも下流側に至り、さらにポケット部１１の幅ＰＷの２倍に相当する距離（延出量ＦＷ）だけ回転移動した後に下方ポケット部１１ａに移動する。即ち上方ポケット部１１ｂにある薬剤Ｔは、当該ポケット部１１の進行方向後端側が仕切部材３５を完全に離れた位置で下方ポケット部１１ａに移動する。【００４２】  またこれにより、下方ポケット部１１ａには、一度に払い出すべき量（本実施形態では１錠）の薬剤Ｔが入り、上方ポケット部１１ｂには空になった下方ポケット部１１ａに補充するための薬剤Ｔが保持され待機した状態となる。
なお仕切部材３５は前記した様に櫛状であるか、その櫛目は、図９の様に傾斜している。櫛目の傾斜方向は、ロータ１０の回転方向に対して順目である。【００４３】  薬剤排出口１８には、図９、図１１に示すようにロータ１０の外周に設けられたスリット１２ａより下方側の部位（以下、必要に応じて下方ポケット部１１ａと称す）のみが露出し得る。そのため、薬剤排出口１８の正面視略中央部にポケット部１１が位置する状態になると、薬剤排出口１８の位置にあるポケット部１１の上方側の部位（以下、必要に応じて上方ポケット部１１ｂと称す）および他のポケット部１１が凹部８ａの内周壁に対向した状態となる。従って、ロータ１０が回転すると、ロータ１０に設けられた下方ポケット部１１ａが順次薬剤排出口１８に露出し、下方ポケット部１１ａに保持されている薬剤Ｔが薬剤排出口１８から払い出される。【００４４】  即ち薬剤排出口１８の上部において、上方ポケット部１１ｂに位置する薬剤Ｔは、仕切部材３５と接して落下が阻止され、仕切部材３５によってポケットから１個以上の薬剤Ｔが排出されることが抑制される。【００４５】  図１３は、薬剤カセットを底面側から観察した状態を示す斜視図である。図１４は、薬剤カセットの底面図である。【００４６】  台座部６は、図１３および図１４に示すように、底面側（図１中矢印Ｂ方向）から観察すると略Ｕ字形の形状を有しており、内側に第１レバー４０と、第２レバー４１が配されている。第１レバー４０は、薬剤カセット２の底面に支軸４３により回動可能に取り付けられている。第１レバー４０は、支軸４３よりも薬剤カセット２の離脱方向（図１３、図１４の矢印Ｄ方向）に押圧レバー４５が延設されており、支軸４３よりも薬剤カセット２の装着方向（図１３、図１４の矢印Ｉ方向）には弾性片４６が延設されている。第２レバー４１についても、第１レバー４０と同様に押圧レバー４７および弾性片４８が設けられており、支軸５０により回動可能に取り付けられている。第１レバー４０および第２レバー４１は、薬剤カセット２を支持台３に装着することにより、弾性片４６，４８が支持台３の天面に設けられたガイド部５１，５１と係合し、支持台３から離脱不能となる。また、薬剤カセット２を支持台３に装着した状態で押圧レバー４５，４７を台座部６の内側方向に押し込むと、第１レバー４０および第２レバー４１が支軸４３，５０を中心として回動する。これにより、弾性片４６，４８とガイド部５１，５１の係合状態が解除され、薬剤カセット２が支持台３から離脱可能となる。【００４７】  次に支持台３について説明する。支持台３は、その上部に前記した薬剤カセット２を装着するものであり、図４に示すように、支持台３の天面には、薬剤カセット２を装着するためのガイド部５１，５１が略平行に配されている。支持台３の奥部には開口３６が設けられ、当該開口３６は、支持台３の裏面側に貫通する。開口３６の位置は、薬剤カセット２が装着されたときに薬剤カセット２の薬剤排出口１８と一致する場所であり、薬剤カセット２の薬剤排出口１８から排出された薬剤は開口３６を通じて外部に排出される。
開口３６の内壁には薬剤の錠数を計量する錠数カウンター３７が設けられている。【００４８】  支持台３の平板状の部位であって、一方のカイド部５１の近傍に駆動ギヤ５２が露出している。駆動ギヤ５２は、薬剤カセット２を装着した際に、台座部６に設けられた連結ギヤ２２の大径ギヤ部２５と係合する位置に配されている。【００４９】  図１５（ａ）は、支持台に採用されている駆動ギヤ５２を示す斜視図であり、（ｂ）は（ａ）のＡ−Ａ断面図、（ｃ）は（ｂ）のＢ方向矢視図、（ｄ）は（ｃ）のＣ部拡大図である。【００５０】  駆動ギヤ５２は、図１５に示すように、薬剤カセット２側に装着されている連結ギヤ２２の大径ギヤ部２５と同様にガンギ車型の歯車であり、周部に複数の歯部５５が形成されている。歯部５５は、大径ギヤ部２５の歯部２６と同様に歯底面５６から駆動ギヤ５２の径方向外側に突出しており、歯先面５９の両側に歯側面５７，５８が設けられたものである。【００５１】  本実施形態では、図２，図１６の様にモータ５４からロータ１０に至る一連の動力伝達経路が完成し、モータ５４から動力を受けてロータ１０が回転するとき、駆動ギヤ５２が駆動し前記した連結ギヤ２２の大径ギヤ部２５と係合して大径ギヤ部２５を従動させることとなるが、ロータ１０を所定の正回転方向に回転する際に連結ギヤ２２と当接して力の伝達に寄与する側の歯側面５７を正転側面という。また正転側面５７の反対側に設けられた歯側面５８（バックラッシュ側）を逆転側面という。
即ち本実施形態の駆動ギヤ５２には、正転側面５７および逆転側面５８が形成されている。
そして正転側面５７の付け根部分における歯底面５６の外接面Ｐ３と正転側面５７とがなす角度はθ１である。また、逆転側面５８の付け根部分における歯底面５６の外接面Ｐ４と逆転側面５８のなす角度θ２は前記したθ１よりも大きい（θ２＞θ１）。【００５２】  駆動ギヤ５２の歯部５５は、駆動ギヤ５２の回転中心軸線Ｃ２と、項部Ｔ２の稜線を通過する平面Ｘ２を想定した場合に、この平面Ｘ２に対して正転側面５７と逆転側面５８とが非対称となっている。正回転面５７は平面Ｘ２と略平行であり、正回転面５７と平面Ｘ２とがなす角度θ３はほぼ０度である。一方、逆回転面５８と平面Ｘ２とがなす角度はθ４であり、正回転面５７と平面Ｘ２とがなす角度θ３よりも大きい。【００５３】  駆動ギヤ５２には、支持台３の内部に配されているモータ５４の回転軸が接続されている。モータ５４は、例えばギャードモータの様に減速機が内蔵されていて回転子の回転数が減速されて出力されるものが推奨される。
また、支持台３には、薬剤カセット２を装着することにより薬剤排出口１８と連通する薬剤案内通路５３が形成されている。【００５４】  本実施形態の薬剤フィーダ１は、前記した様に薬剤カセット２と支持台３が結合された状態において図２、図１６に示す様なモータ５４からロータ１０に至る一連の動力伝達経路が完成する。（図１６は、図１に示す薬剤フィーダのギヤ列を示すスケルトン図である）
即ち図２，図１６に示すように、モータ５４の回転軸に駆動ギヤ５２が取り付けられ、駆動ギヤ５２は連結ギヤ２２の大径ギヤ部２５と嵌合し、さらに連結ギヤ２２の小径ギヤ部２３とロータギヤ１５が嵌合し、ロータギヤ１５にロータ１０が結合されている。
したがってモータ５４が回転すると、図１６に示すように駆動ギヤ５２が時計方向（Ｆ方向）に回転し、これと嵌合する連結ギヤ２２の大径ギヤ部２５が反時計方向（Ｆ方向）に回転し、大径ギヤ部２５と一体の小径ギヤ部２３が反時計方向（Ｆ方向）に回転し、これと嵌合するロータギヤ１５が時計方向（Ｆ方向）に回転し、ロータギヤ１５と共にロータ１０が時計方向（Ｆ方向）に回転する。【００５５】  本実施形態の薬剤フィーダ１は、支持台３に対して薬剤カセット２を装着する際の動作に特徴を有する。
以下、本実施形態の特徴的動作について説明する。
図１７は、図３に示す如く薬剤フィーダ１の支持台３に薬剤カセット２を装着する途上におけるロータギヤ１５と駆動ギヤ５２の関係を示す概念図である。図１８は、図１７に示す状態から進行し、図１に示す如く薬剤フィーダ１の支持台３と薬剤カセット２が完全に嵌合した状態の中途段階におけるロータギヤ１５と駆動ギヤ５２の関係を示す概念図である。図１９は、図１８に示す状態から進行し、図１に示す如く薬剤フィーダ１の支持台３と薬剤カセット２が完全に嵌合した状態の中途段階におけるロータギヤ１５と駆動ギヤ５２の関係を示す概念図である。図２０は、図１９に示す状態からさらに進行し、図１に示す如く薬剤フィーダ１の支持台３に薬剤カセット２が完全に装着された状態におけるロータギヤ１５と駆動ギヤ５２の関係を示す概念図である。
図２１（ａ）は、図３に示す如く薬剤フィーダ１の支持台３に薬剤カセット２を装着する途上（または薬剤の排出が終了したとき）における薬剤フィーダ１の動作状態であってロータ１０と薬剤排出口１８と薬剤Ｔの関係を示す概念図であり、（ｂ）は（ａ）の状態における薬剤排出口１８近傍の拡大斜視図である。
図２２（ａ）は、図１に示す如く薬剤フィーダ１の支持台３に薬剤カセット２が完全に装着された状態（または薬剤の排出が終了した後にロータを逆回転したとき）における薬剤フィーダ１の動作状態であってロータ１０と薬剤排出口１８と薬剤Ｔの関係を示す概念図であり、（ｂ）は（ａ）の状態における薬剤排出口１８近傍の拡大斜視図である。【００５６】  薬剤カセット２の装着時には、先ず薬剤カセット２は、薬剤排出口１８が支持台３の薬剤案内通路５３に対向する姿勢とされる。この状態で、薬剤カセット２は、支持台３の天面に設けられたガイド部５１，５１に対して台座部６の底面側に配されている第１レバー４０および第２レバー４１の弾性片４６，４８が沿うようにがあてがわれる。そして図１３の矢印Ｉ方向に押し込まれる。
薬剤カセット２を矢印Ｉ方向に押し込むと、図３及び図１７の様に連結ギヤ２２の大径ギヤ部２５と支持台３の天面に露出している駆動ギヤ５２が離れた状態から、図１８，図１９、図２０に示すように次第に大径ギヤ部２５が支持台３の天面に露出している駆動ギヤ５２に近接する。【００５７】  即ち薬剤カセット２を押し込む前は、図３及び図１７の様に連結ギヤ２２の大径ギヤ部２５と支持台３の天面に露出している駆動ギヤ５２は離れている。
この状態から、薬剤カセット２を矢印Ｉ方向に押し込むと、図１８のように薬剤カセット２側の大径ギヤ部２５の歯部２６の歯先面２７が支持台３側の駆動ギヤ５２の歯部５５を構成する一方の歯側面５８に当接する。ここで、薬剤カセット２の装着時は、モータ５４が停止中であるため、歯部に当たっても支持台３側の駆動ギヤ５２は殆ど回転せず、ほぼ固定状態となっている。一方、薬剤カセット２側の連結ギヤ２２は、自由に回転可能な状態となっている。即ち、薬剤カセット２の装着時には、駆動ギヤ５２に外力を加えて回転させるために要するトルクが、連結ギヤ２２（大径ギヤ部２５）を回転させるのに要するトルクよりも遙かに大きい。そのため、さらに薬剤カセット２を矢印Ｉ方向に押し込むと、図１９、図２０のように大径ギヤ部２５が駆動ギヤ５２に近接すると共に、大径ギヤ部２５の歯先面２７が駆動ギヤ５２の逆転側面５８に沿って摺動する。これに伴って薬剤カセット２側の大径ギヤ部２５が逆方向（図１９  矢印Ｒ方向）に回転する。大径ギヤ部２５が逆回転すると、これに連動して小径ギヤ部２３およびロータギヤ１５が回転し、ロータ１０が逆回転する。【００５８】  ロータ１０が逆回転すると、図２１に示すように薬剤排出口１８に対してロータ１０の逆転側（上流側）に位置し、一部が薬剤排出口１８に露出していた下方ポケット部１１ａが図２２のように薬剤排出口１８から遠ざかり、凹部８ａの周壁の裏側に完全に隠れる。そのため、薬剤カセット２を支持台３に対して装着しても、薬剤排出口１８から遠ざかった下方ポケット部１１ａに保持されている薬剤Ｔは薬剤排出口１８から排出されない。【００５９】  一方、ロータ１０の逆回転に伴い、薬剤排出口１８に対してロータ１０の正回転側（下流側）に隣接する位置にあった下方ポケット部１１ａが薬剤排出口１８側に戻り、薬剤排出口１８に露出する場合がある。しかし、本実施形態の薬剤フィーダ１では、仕切部材３５が薬剤排出口１８よりも正回転方向および逆回転方向に延出されているため、薬剤排出口１８を通過したばかりの下方ポケット部１１ａには薬剤Ｔが保持されていない。また、薬剤カセット２の装着時におけるロータ１０の逆回転距離は下方ポケット部１１ａの幅ＰＷの１／２程度である（より大きくてもよい）。そのため、図２２に示すように薬剤カセット２の装着に伴ってロータ１０が逆転し、正回転方向にある凹部８ａに隠れている下方ポケット部１１ａが薬剤排出口１８に現れても薬剤Ｔの落下は起こらない。【００６０】  上記した薬剤フィーダ１は、薬剤カセット２を装着する際に薬剤カセット２側の大径ギヤ部２５の歯部２６の先端をなす歯先面２７が、必然的に支持台３側に設けられた駆動ギヤ５２の歯部５５の逆転側面５８に突き当たる。また、薬剤カセット２の装着時は、モータ５４が停止状態であり、駆動ギヤ５２がほぼ固定された状態となっている。そのため、薬剤カセット２を矢印Ｉ方向に差し込むと大径ギヤ部２５が確実に逆転し、排出口１０の上流側に隣接する位置にあるポケット部１１が凹部８ａ内に隠れる。従って、薬剤カセット１は、薬剤カセット２の装着時における薬剤Ｔの誤排出を起こさない。【００６１】  上記実施形態の薬剤フィーダ１は、薬剤カセット２側に��けられた大径ギヤ部２５および支持台３側に設けられた駆動ギヤ５２の双方がいわゆるガンギ車状の歯車であったが、本発明はこれに限定されるものではなく、ガンギ車に類似した形状の歯車を採用してもよい。またガンギ車やガンギ車に類似した形状の歯車は、必ずしも薬剤カセット２側と支持台３側の双方に採用されている必要はない。例えば図２３に示すように大径ギヤ部２５としてインボリュート型の歯部７０を有するものとしてもよい。【００６２】  即ち図２３は、図１に示す薬剤フィーダの変形例である薬剤フィーダにおいて支持台に対して薬剤カセットを装着する際のロータギヤと駆動ギヤ５２の関係を示す概念図である。
この場合においても、駆動ギヤ（ガンギ型）５２を正転側面５７側が正転方向に向き、逆転側面５８が逆転方向に向くように配置することにより、薬剤カセット２の装着時に歯部７０が逆転側面５８に沿って摺動し、大径ギヤ部２５およびロータ１０が逆回転する。そのため、図２３に示すような構成とした場合であっても薬剤カセット２の装着時におけるロータ１０の正回転を阻止し、薬剤Ｔの誤排出を防止することができる。【００６３】  薬剤フィーダ１は、図２４のように薬剤カセット２側の大径ギヤ部２５をガンギ車状とすると共に、駆動ギヤ５２をインボリュート型の歯部７１を有するものとしてもよい。即ち図２４は、図１に示す薬剤フィーダの変形例である薬剤フィーダにおいて支持台に対して薬剤カセットを装着する際のロータギヤと駆動ギヤ５２の関係を示す概念図である。【００６４】  この場合においても、大径ギヤ部２５を正転側面２８が逆回転方向に向き、逆転側面３０が正回転方向に向けておくことにより、薬剤カセット２を装着方向（矢印Ｉ方向）に押し込むことにより歯部７１によって大径ギヤ部２５の逆転側面３０が押されて大径ギヤ部２５が逆回転し、ロータ１０が逆回転する。これにより、薬剤カセット２の装着前に薬剤排出口１８に対してロータ１０の回転方向上流側に位置していた下方ポケット部１１ａがさらに上流側に押し戻される。さらに、薬剤カセット２の装着前に薬剤排出口１８に対してロータ１０の回転方向下流側まで仕切部材３５が延設されているため、下流側から薬剤排出口１８に近接してくる下方ポケット部１１ａには薬剤Ｔが入っていない。そのため、図２４に示すような構成とした場合であっても、薬剤カセット２の装着時に薬剤Ｔの誤排出が起こらない。【００６５】  上記実施形態において、大径ギヤ部２５および駆動ギヤ５２は、いずれも正転側面２８，５７が歯底面３１，５６の外接面Ｐ１，Ｐ３に対して略垂直なものであったが、本発明はこれに限定されるものではなく、例えば図２５（ａ），（ｂ）に示すように正転側面２８，５７が逆転側面３０，５８側に近づく方向に傾斜したものであってもよい。即ち図２５（ａ），（ｃ）は連結ギヤおよび駆動ギヤ５２の変形例を示す正面図であり、（ｂ），（ｄ）はそれぞれ（ａ），（ｃ）のＡ，Ｂ部拡大図である。【００６６】  この場合においても、外接面Ｐ１，Ｐ３に対して正転側面２８，５７がなす角度θ１は、外接面Ｐ２，Ｐ４に対して逆転側面３０，５８がなす角度θ２よりも小さい（θ１＜θ２）。また、大径ギヤ部２５および駆動ギヤ５２の軸心位置Ｃ１，Ｃ２と頂部Ｔ１，Ｔ２とを通過する平面Ｘ１，Ｘ２と正転側面２８，５７がなす角度θ３は、平面Ｘ１，Ｘ２と逆転側面３０，５８がなす角度θ４よりも小さい（θ３＜θ４）。そのため、図２５（ａ），（ｂ）に示すような構成とした場合であっても薬剤カセット２の装着時に必ず大径ギヤ部２５および駆動ギヤ５２の逆転側面３０，５８に他方の歯部２６，５５が突き当たり、大径ギヤ部２５およびロータ１０を逆回転させることができる。【００６７】  また、大径ギヤ部２５および駆動ギヤ５２は、例えば図２５（ｃ）に示すように外接面Ｐ１，Ｐ３に対して正転側面２８，５７がなす角度θ１が、外接面Ｐ２，Ｐ４に対して逆転側��３０，５８がなす角度θ２よりも小さく（θ１＜θ２）、平面Ｘ１，Ｘ２と正転側面２８，５７がなす角度θ３が、平面Ｘ１，Ｘ２と逆転側面３０，５８がなす角度θ４よりも小さい（θ３＜θ４）という条件を満たす範囲内において逆転側面３０，５８から遠ざかる方向に傾斜した構成としてもよい。かかる構成とした場合においても薬剤カセット２の装着時に大径ギヤ部２５およびロータ１０を逆回転させ、薬剤Ｔの予期せぬ払い出しを防止できる。【００６８】  次に本実施形態の薬剤フィーダ１を制御する制御装置及びその機能について説明する。図２６は、本実施形態の薬剤フィーダ１を多数使用した薬剤払出し装置の斜視図である。図２７は、本実施形態の薬剤フィーダの制御装置のブロック図である。図２８は、本実施形態の薬剤フィーダの動作を示すフローチャートである。図２８は、他の実施形態の薬剤フィーダの動作を示すフローチャートである。【００６９】  本実施形態の薬剤フィーダ１は、例えば図２６に示すような薬剤充填装置１００に使用される。
本実施形態の薬剤充填装置１００は、多品種の薬剤群から特定の薬剤を選択し、バイアルに充填する機能を有するものである。
本実施形態の薬剤充填装置１００は、大きく分けて、保管棚１０２、薬剤供給部１０３、薬剤一時停止部１０５、薬剤搬送部１０６、薬剤充填部１０７、バイアル貯蔵部１０８及びバイアル移送部１０９によって構成されている。
保管棚１０２は、薬剤が充填されたバイアルを仮置きするものである。保管棚１０２には、タッチパネル１１０等の入力手段（処方指示部）があり、処方箋の内容や、患者の氏名、年齢等の情報を入力する。また図示しない表示装置を備える。【００７０】  薬剤供給部１０３は、図示しない共通通路部材を多数並べて配し、この共通通路部材に、本実施形態の薬剤フィーダ１２を多数取り付けたものである。
本実施形態の薬剤充填装置１００は、タッチパネル１１０への入力を端緒として動作する。本実施形態の薬剤充填装置１００では、薬剤とバイアルが別々に薬剤充填部７に運ばれ、当該薬剤充填部７において薬剤がバイアルに充填される。
即ちタッチパネルによって薬剤の種類が入力されると、当該薬剤が内蔵された薬剤カセット２が取り付けられた薬剤フィーダ１が機能する。
即ち本実施形態の薬剤フィーダ１は、モータ５４が回転してロータ１０を回転させ、薬剤カセット２の薬剤排出口１８から一個づつ薬剤が排出される。薬剤排出口１８から排出された薬剤は、支持台２の開口３６に入って図示しない共通通路に落下する。【００７１】  そして図４に示す錠数カウンター３７で排出された薬剤の個数を数え、この個数が所定の個数となった所でモータ５４停止させ、ロータ１０を停止して薬剤の排出を止める。
排出された薬剤は、薬剤充填部７側に運ばれバイアルに充填される。【００７２】  ここで本実施形態で採用する薬剤フィーダ１は、特徴的な動作として、錠数カウンター３７で排出された薬剤の個数を数え、この個数が所定の個数となった所でモータ５４停止させる際、モータ５４の完全停止に先立ってモータ５４を僅かに逆回転させ、ロータ１０を逆方向に少しだけ回転させる。
以下、この機能について説明する。【００７３】  上記した本実施形態に特有の薬剤フィーダ１の動作は、図２７に示す制御装置によって達成される。
図２７に示す制御装置８０は、図示しないＣＰＵを内蔵し、逆回転量記憶機能とタイマ機能を備える。逆回転量記憶機能は、モータ５４を逆回転する際の適正な回転量を予め記憶しておくものである。
モータ５４を逆回転する際の適正な回転量は、仕切部材３５のロータ１０の回転方向側（下流側）に対する延出量ＦＷ相当（プラスマイナス２０％）であり、ポケット部１１ａの幅相当（プラスマイナス２０％）である。【００７４】  また前述した薬剤充填装置１００（図２６）のタッチパネル（入力手段）１１０の信号と、錠数カウンター３７の信号が制御装置８０に入力される。さらに制御装置８０によって薬剤フィーダ１のモータ５４が制御される。また制御装置８０から、保管棚１０２に設けられた図示しない表示装置に信号が送られる。【００７５】  以下、図２８に示すフローチャートに従って薬剤フィーダ１の制御を説明する。
本実施形態の薬剤フィーダ１の制御は、前記した様にタッチパネル１１０への入力を端緒とし、タッチパネル１１０に処方箋の内容が入力される。そしてタッチパネル１１０は、薬剤フィーダ１の制御装置８０に処方箋の内容をデータ送信する。
図２８に示すフローチャートでは、ステップ１で薬剤充填装置１００のタッチパネル１１０から処方箋データを受信する。【００７６】  そしてステップ２に進み、入力された処方箋データに基づいて複数の薬剤フィーダ１の中から特定の薬剤フィーダ１を選定する。【００７７】  またステップ３で、排出する薬剤の個数を受信する。ここではバイアルに充填されるべき数、例えば６０個という数が受信される。この段階で排出すべき薬剤の数が決定される。
続いてステップ４に移行し、所定のタイマーを起動する。このタイマーは、薬剤フィーダ１から薬剤を排出するのに要する予想最大時間を計時するものである。即ち、所定量の薬剤を排出するのに要する時間の最大時間であり、これ以上の時間を要する場合は、薬剤フィダー１の薬剤カセット２に薬剤が無いと考えるべき時間を計時する。【００７８】  そしてさらにステップ５に移行して薬剤フィーダ１のモータ５４を起動し、錠剤カセット２内のロータ１０を回転させる。その結果薬剤カセット２の薬剤排出口１８から一個づつ薬剤が排出され、薬剤排出口１８から排出された薬剤は、支持台２の開口３６に入り、錠数カウンター３７でその個数を計数しつつ図示しない共通通路に落下する。
錠数カウンター３７の信号は、制御装置８０に入力される。ステップ６においては、ステップ３で受信した数、例えば６０個に達したか否かが判断される。【００７９】  ステップ６で所定の個数に達したことが確認されるとステップ７に移行し、薬剤フィーダ１のモータ５４を一時停止する。
モータ５４を停止することによって錠剤カセット２内のロータ１０が停止し、薬剤の排出は停止されるが、ロータ１０がどの様な状態で停止しているかは成り行きである。
例えば前記した図２１に示す様に薬剤排出口１８から薬剤Ｔを保持した状態で下方ポケット部１１ａの一部が覗き、薬剤Ｔの一部が薬剤排出口１８から露出して薬剤Ｔが不安定な状態となっているおそれがある。【００８０】  本実施形態の制御方法では、薬剤フィーダ１のモータ５４を一時停止した後にステップ８に移行し、モータ５４を逆回転して制御装置８０の逆回転量記憶機能部に記憶された回転量だけロータ１０を動かす。
即ちロータリーエンコーダ（回転量検出手段）３３から送信される信号に基づいてロータ１０の回転量を演算し、モータ１０を逆転する信号を出力し、ロータ１０の回転量を監視して仕切部材３５の延出量ＦＷ相当となったところでステップ９に移行し、モータ５４を停止する。
なお本実施形態では、ロータリーエンコーダ３３をモータ５４の回転軸に取り付け、モータ５４の回転量から間接的にローラ５４の回転量を検知したが、もちろん他の部位に回転量検出手段を設けてもよい。またローラ１０の回転量を直接的に検知することも可能である。【００８１】  本実施形態では、薬剤フィーダ１のモータ５４を一時停止した後にモータ５４を延出量ＦＷ相当だけ逆回転したので、例えば先の図２１に示した様な状況であったロータ１０と薬剤排出口１８との位置関係は、図２２の様に変化する。
即ちロータ１０の逆転側（上流側）に位置し、一部が薬剤排出口１８に露出していた下方ポケット部１１ａは、図２２のように薬剤排出口１８から遠ざかり、凹部８ａの周壁の裏側に完全に隠れる。そのため薬剤Ｔは安定に保持された状態となり、薬剤フィーダ１が振動しても薬剤Ｔが脱落することはない。またこの状態のときに薬剤フィーダ１の錠剤カセット２を取り外しても、薬剤Ｔが排出されることはない。【００８２】  また薬剤排出口１８の下流側にあったポケット部１１がロータ１０を逆転することにより薬剤排出口１８の位置と一致することとなるが、当該ポケット部１１の下方ポケット部１１ａは、仕切部材３５の下部にあったものであり、仕切部材３５の傘の下で合ったが故に上方ポケット部１１ｂからの薬剤Ｔは未落下状態である。そのためロータ１０の逆転によって戻ってきた下方ポケット部１１ａは空であり、当該部位から薬剤Ｔが零れることはない。【００８３】  ステップ８が終了するとステップ１０に至り、他の排出要求があるか否かを調べる。他に排出要求があればステップ３に戻って先の工程を繰り返す。
一方、前述したステップ６おける排出個数の判定で、まだ所定の数量に達していない場合は、ステップ１１に移行し、前記したステップ４で計時を開始したタイマーを確認する。ステップ４で計時を開始したタイマーがまた満了していなければステップ６に戻り、以下ステップ６，１１を繰り返して所定個数が排出されるかタイマーが満了するかのいずれかを待つ。【００８４】  薬剤フィーダ１からの薬剤排出数が所定の個数に至ることなくタイマーが満了した場合は、薬剤フィダー１の薬剤カセット２に薬剤が無いと考えるべきであり、作業を中止すべきであるからステップ１２に移行し、ソフト上、所定のフラグを立てる。【００８５】  そしてステップ１３に移行し、制御装置８０から保管棚１０２に設けられた図示しない表示装置に信号が送られ、欠品である旨の表示がなされる。【００８６】  そしてステップ１４に移行してモータ５４を一時停止し、さらにステップ１５に移行してモータ５４を逆回転して制御装置８０の逆回転量記憶機能に記憶された回転量だけロータ１０を動かす。このときの回転量やその作用効果は前記したステップ８と同様であり、不安定であった薬剤Ｔはしっかりと保持され、脱落のおそれが解消される。【００８７】  その後ステップ１６に移行し、モータ５４を停止する。
そしてステップ１７に移行して薬剤の充填を待つ。薬剤カセット２に薬剤が充填されるとステップ１２に移行し、ソフト上のフラグ１７がリセットされ、ステップ１９で欠品である旨の表示が消える。そしてステップ６に戻り、所定個数が排出されればステップ７に移行して前記した工程を繰り返す。【００８８】  以上説明して制御方法は、「個別処理方式」と称すべきもので薬剤カセット２から所定量の薬剤を排出するごとにモータ５４を逆回転し、薬剤の保持を安定化させるものである。この方法は、動作が確実であるという特徴の他、所定個数を排出するごとにロータ１０を逆回転させるので、薬剤の詰まりを防止することができる効果もある。【００８９】  これに対して一回の処方ごとにまとめてモータ５４を逆回転する「全体処理方式」と称すべき方法も推奨される。
即ち先に示した実施形態は、薬剤をバイアルに充填する様な場合を想定したものであり、相当数の薬剤を一回に排出するが、装置によっては１個、２個といった少数の薬剤を多数回に渡って排出する場合もある。
例えば３時間置きに３錠づつ薬剤を飲む様な処方であり、これに合わせて３錠づつの薬剤を一つの包装に包み、これを３日分提供する様な場合を想定すると、先の「個別処理方式」では、３個薬剤を排出するごとにモータ５４を逆回転し、これを２４回繰り返すこととなる。そのため作業効率が悪く作業終了までに時間がかかり過ぎる。【００９０】  そこで図２９に示すフローチャートの様にステップ６で薬剤排出を完了した後におけるモータ５４の一時停止時にはモータの逆転を行わず、ステップ８に移行して次の排出データの確認を行う。例えば前記した様な３時間置きに３錠づつ薬剤を飲む様な処方であるならば、３個の排出要求が多数残っており、ステップ３〜ステップ８の工程を繰り返して処理する。そして全ての排出が終わるとステップ９に移行し、モータ５４を逆回転させ、ステップ１０に移行してモータ５４最終的に停止する。【００９１】  以上説明した実施形態では、モータ５４を逆回転させる際の回転量として仕切部材３５のロータ１０の回転方向側（下流側）に対する延出量ＦＷ相当程度を例示したが、この回転量は、設計に応じて適宜変更することができる。
ロータ１０の逆回転量は、仕切部材３５のロータ１０の回転方向側（下流側）に対する延出量ＦＷを基凖として設計すべきであり、逆回転量は仕切部材３５の延出量ＦＷ以下であることが望ましく、より望ましくは延出量ＦＷの８０％以下である。【００９２】  一方、基凖となる仕切部材３５のロータ１０の回転方向側（下流側）に対する延出量ＦＷの好ましい範囲は、ポケット部１１の幅ＰＷの５０％以上である。より好ましい延出量ＦＷの範囲はポケット部１１の幅ＰＷの１００％〜４００％であり、理想的にはポケット部１１の幅ＰＷの１００％〜３００％である。
図３０は、仕切部材３５のロータ１０の回転方向側に対する延出量ＦＷをポケット部１１の幅ＰＷの３倍とした場合における薬剤フィーダの仕切部材と薬剤排出口及びロータ１０の関係を示す斜視図である。【００９３】  以上の説明は、ロータ１０の逆回転量と仕切部材３５との関係であるが、ロータ１０の逆回転量の絶対量としては、ポケットの幅ＰＷ以上であることが望ましい。
モータ５４を逆回転させる際の回転量は、微小量であってもある程度の効果は期待できるが、ギヤのバックラッシュ等を勘案して確実にロータ１０が回転する量だけはモータ５４を回転させるべきである。
ロータ１０の逆回転量の絶対量の好ましい上限は、ポケットの幅ＰＷの４倍程度である。またより好ましくはポケット幅ＰＷの３倍以下である。
従ってロータ１０の逆回転量の絶対量の好ましい範囲は、ポケットの幅ＰＷの１００％〜３００％である。言い換えるとロータ１０の逆回転量の好ましい範囲は、ロータ１０のポケット部１１の幅ＰＷ以上であって、隣接するポケット部１１とこれを挟むリブ１２の合計幅以下である。【００９４】  要するに、薬剤排出口１８の下流側のポケット部１１に保持される薬剤Ｔが図２１の様に薬剤排出口１８から５０％程度露出して不安定に保持されている状況を想定し、この状態からロータ１０を逆転して薬剤Ｔが安定して保持され、且つ、上流側から戻ってきて薬剤排出口１８と一致（一部一致を含む）したポケット部１１に保持される薬剤Ｔが排出されない範囲の逆回転量を見つけ、この逆転量だけロータ１０を回転させる。【００９５】  逆転量は、少なくとも上流側から戻ってきて薬剤排出口１８と一致（一部一致を含む）したポケット部１１に保持される薬剤Ｔが排出されない範囲であることが必要である。【００９６】  また上記した実施形態では、モータ５４を一定時間に渡って回転させ、この間に所定量の薬剤が排出されなかった場合に薬剤が無いと判断したが、図４に示すロータリーエンコーダ３３によってモータ５４の回転数を検出し、モータの回転数が一定量に達したにも拘わらず所定量の薬剤が排出されなかった様な場合に薬剤が無いと判断する方策も推奨される。
【図面の簡単な説明】
【００９７】
【図１】  本発明の実施形態の薬剤フィーダの斜視図である。
【図２】  図１に示す薬剤フィーダのギヤ列を示す斜視図である。
【図３】  図１に示す薬剤フィーダの支持台に薬剤カセットを装着する途上におけるギヤ列を示す斜視図である。
【図４】  本発明の実施形態の薬剤フィーダの分解斜視図であり、支持台と薬剤カセットを示す。
【図５】  図４に示す薬剤カセットのＡ−Ａ断面図である。
【図６】  図４に示す薬剤カセットを薬剤排出口側から見た際の概略構造を示す斜視図である。
【図７】  図４に示す薬剤カセットが備えているロータの斜視図である。
【図８】  図４に示す薬剤カセットが備えているロータの正面図である。
【図９】  図４に示す薬剤フィーダの仕切部材と薬剤排出口及びロータの関係を示す斜視図である。
【図１０】  （ａ）は、図４に示す薬剤カセットに採用されている連結ギヤを示す斜視図であり、（ｂ）は（ａ）のＡ−Ａ断面図、（ｃ）は（ａ）のＢ方向矢視図、（ｄ）は（ｃ）のＣ部拡大図である。
【図１１】  図４に示す薬剤カセットのＢ方向矢視図である。
【図１２】  図１１のＡ−Ａ断面図である。
【図１３】  薬剤カセットを底面側から観察した状態を示す斜視図である。
【図１４】  薬剤カセットの底面図である。
【図１５】  （ａ）は、支持台に採用されている駆動ギヤを示す斜視図であり、（ｂ）は（ａ）のＡ−Ａ断面図、（ｃ）は（ｂ）のＢ方向矢視図、（ｄ）は（ｃ）のＣ部拡大図である。
【図１６】  図１に示す薬剤フィーダのギヤ列を示すスケルトン図である。
【図１７】  図３に示す如く薬剤フィーダの支持台に薬剤カセットを装着する途上におけるロータギヤと駆動ギヤの関係を示す概念図である。
【図１８】  図１７に示す状態から進行し、図１に示す如く薬剤フィーダの支持台と薬剤カセットが完全に嵌合した状態の中途段階におけるロータギヤと駆動ギヤの関係を示す概念図である。
【図１９】  図１８に示す状態から進行し、図１に示す如く薬剤フィーダの支持台と薬剤カセットが完全に嵌合した状態の中途段階におけるロータギヤと駆動ギヤの関係を示す概念図である。
【図２０】  図１９に示す状態からさらに進行し、図１に示す如く薬剤フィーダの支持台に薬剤カセットが完全に装着された状態におけるロータギヤと駆動ギヤの関係を示す概念図である。
【図２１】  （ａ）は、図３に示す如く薬剤フィーダ１の支持台３に薬剤カセット２を装着する途上（または薬剤の排出が終了したとき）における薬剤フィーダ１の動作状態であってロータ１０と薬剤排出口１８と薬剤Ｔの関係を示す概念図であり、（ｂ）は（ａ）の状態における薬剤排出口１８近傍の拡大斜視図である。
【図２２】  （ａ）は、図１に示す如く薬剤フィーダ１の支持台３に薬剤カセット２が完全に装着された状態（または薬剤の排出が終了した後にロータを逆回転したとき）における薬剤フィーダ１の動作状態であってロータ１０と薬剤排出口１８と薬剤Ｔの関係を示す概念図であり、（ｂ）は（ａ）の状態における薬剤排出口１８近傍の拡大斜視図である。
【図２３】  図１に示す薬剤フィーダの変形例である薬剤フィーダにおいて支持台に対して薬剤カセットを装着する際のロータギヤと駆動ギヤの関係を示す概念図である。
【図２４】  図１に示す薬剤フィーダの変形例である薬剤フィーダにおいて支持台に対して薬剤カセットを装着する際のロータギヤと駆動ギヤの関係を示す概念図である。
【図２５】  （ａ），（ｃ）は連結ギヤおよび駆動ギヤの変形例を示す正面図であり、（ｂ），（ｄ）はそれぞれ（ａ），（ｃ）のＡ，Ｂ部拡大図である。
【図２６】  本発明の実施形態の薬剤フィーダを多数使用した薬剤払出し装置の斜視図である。
【図２７】  本発明の実施形態の薬剤フィーダの制御装置のブロック図である。
【図２８】  本発明の実施形態の薬剤フィーダの動作を示すフローチャートである。
【図２９】  本発明の他の実施形態の薬剤フィーダの動作を示すフローチャートである。
【図３０】  仕切部材のロータの回転方向側に対する延出量をポケット部の幅の３倍とした場合における薬剤フィーダの仕切部材と薬剤排出口及びロータの関係を示す斜視図である。
【符号の説明】
【００９８】  １  薬剤フィーダ
２  薬剤カセット
３  支持台（支持部材）
１０  ロータ
１１  ポケット部
１１ａ  下方ポケット部（排出側ポケット部）
１１ｂ  上方ポケット部（収容側ポケット部）
１８  排出口
３２  薬剤収容空間
３５  仕切部材
５２  駆動ギヤ（支持側接続手段）
５４  モータ（駆動手段）
【図１】
2005289506.tif 000003
【図２】
2005289506.tif 000004
【図３】
2005289506.tif 000005
【図４】
2005289506.tif 000006
【図５】
2005289506.tif 000007
【図６】
2005289506.tif 000008
【図７】
2005289506.tif 000009
【図８】
2005289506.tif 000010
【図９】
2005289506.tif 000011
【図１０】
2005289506.tif 000012
【図１１】
2005289506.tif 000013
【図１２】
2005289506.tif 000014
【図１３】
2005289506.tif 000015
【図１４】
2005289506.tif 000016
【図１５】
2005289506.tif 000017
【図１６】
2005289506.tif 000018
【図１７】
2005289506.tif 000019
【図１８】
2005289506.tif 000020
【図１９】
2005289506.tif 000021
【図２０】
2005289506.tif 000022
【図２１】
2005289506.tif 000023
【図２２】
2005289506.tif 000024
【図２３】
2005289506.tif 000025
【図２４】
2005289506.tif 000026
【図２５】
2005289506.tif 000027
【図２６】
2005289506.tif 000028
【図２７】
2005289506.tif 000029
【図２８】
2005289506.tif 000030
【図２９】
2005289506.tif 000031
【図３０】
2005289506.tif 000032